(57)【要約】      （修正有）【課題】不使用時に必要なスペースが小さくて済む積み重ね収納用トレーを提供する。【解決手段】枠部１、収納物載置部２、トレー載置部３とを備え、トレー載置部３は、深い凹部である支持脚部３１と、支持脚部３１に対して略１８０度回転対称位置に形成された浅い凹部である支持脚載置部３２とを備え、収納物を載置しない場合、下側トレーＴと上側トレーＴとが平面視において同一形状となる非載置方向で重ね合わされて下側トレーＴの支持脚部３１の内側面３１１ａに上側トレーＴの支持脚部３１の外側面３１１ｂが当接し、収納物を載置できる状態では、下側トレーＴと上側トレーＴとが前記非載置方向とは平面視で略１８０度逆に重ね合わされて下側トレーＴの支持脚載置部上面に上側トレーの支持脚部下面が当接することで、上下各トレーＴ，Ｔ間に収納物を配置できる空間が確保される。【選択図】図４
0003180024.tif 000002
【実用新案登録請求の範囲】
【請求項１】
個々に収納物を載置して複数段積み重ねた状態で収納容器内に収納される積み重ね収納用のトレーにおいて、
輪郭形状が平面視で略１８０度回転対称の形状であり、
枠部と、当該枠部に囲まれた凹部である収納物載置部と、当該枠部と当該収納物載置部との間に位置するトレー載置部とを備え、
前記トレー載置部は、深い凹部である支持脚部と、当該支持脚部に対して略１８０度回転対称位置に形成された浅い凹部である支持脚載置部とを備え、
前記支持脚部及び支持脚載置部は、内側面及び外側面が上広がりに傾斜しており、
収納物を載置しない場合には、下側に位置するトレーと上側に位置するトレーとが平面視において同一形状となる非載置方向で重ね合わされ、この際、下側に位置するトレーの支持脚部の内側面に上側に位置するトレーの支持脚部の外側面が当接し、
収納物を載置できる状態では、下側に位置するトレーと上側に位置するトレーとが前記非載置方向とは平面視で略１８０度逆の載置方向で重ね合わされ、この際、下側に位置するトレーの前記支持脚載置部の上面に、上側に位置するトレーの前記支持脚部の下面が当接することで、下側に位置するトレーと上側に位置するトレーとの間に収納物を配置できる空間が確保されることを特徴とする積み重ね収納用のトレー。
【請求項２】
発泡樹脂からなり、前記枠部と前記収納物載置部と前記トレー載置部とが一体であることを特徴とする請求項１に記載の積み重ね収納用トレー。
【請求項３】
輪郭形状が平面視で略矩形であることを特徴とする請求項１または２に記載の積み重ね収納用トレー。
【請求項４】
前記トレー載置部は、前記略矩形の輪郭形状を構成する、対向する二つの長辺に沿うように備えられ、
各長辺に対応して、前記支持脚部と前記支持脚載置部とは、当該長辺に沿う方向において一つずつ交互に形成され、
一方の長辺に対応して形成された前記支持脚部に対し、他方の長辺に対応して形成された前記支持脚載置部が線対称の位置にて対向する請求項３に記載の積み重ね収納用トレー。
【請求項５】
前記支持脚部と前記支持脚載置部とは、横断面形状が略Ｖ字状または略U字状に形成され、前記収納物載置部上の空間に面していることを特徴とする請求項１〜４のいずれかに記載の積み重ね収納用トレー。
【請求項６】
前記支持脚部の下面は、前記収納物載置部の下面よりも下方に位置することを特徴とする請求項１〜５のいずれかに記載の積み重ね収納用トレー。
【考案の詳細な説明】
【技術分野】
【０００１】
本考案は、個々に収納物を載置して複数段積み重ねた状態で収納容器内に収納される積み重ね収納用のトレーに関する。
【背景技術】
【０００２】
例えば食品や魚介類等の収納物を運搬する際に、個々に収納物を載置して複数段積み重ねた状態で、流通用のダンボール箱等の収納容器内に収納される積み重ね収納用のトレーが存在する。例えば、特許文献１に記載の「コンテナ内部用トレー」がある。
【０００３】
特許文献１に記載のトレーは合成樹脂製で、底面から側壁が立ち上げられた形状とされている。このトレーを積み重ねた状態で、下側のトレーの底面と上側のトレーの底面との間に空間が確保され、この空間に収納物を配置できる。
【先行技術文献】
【特許文献】
【０００４】
【特許文献１】特開２００７−１７６５４１号公報
【考案の概要】
【考案が解決しようとする課題】
【０００５】
ところがこのトレーでは、不使用時であっても、収納物を載置する空間が確保されたままであるためにかさばり、トレーを保管するために大きなスペースが必要であるという問題があった。
【０００６】
そこで本考案は、不使用時に必要なスペースが小さくて済むトレーを提供することを課題とする。
【課題を解決するための手段】
【０００７】
本考案は、個々に収納物を載置して複数段積み重ねた状態で収納容器内に収納される積み重ね収納用のトレーにおいて、輪郭形状が平面視で略１８０度回転対称の形状であり、枠部と、当該枠部に囲まれた凹部である収納物載置部と、当該枠部と当該収納物載置部との間に位置するトレー載置部とを備え、前記トレー載置部は、深い凹部である支持脚部と、当該支持脚部に対して略１８０度回転対称位置に形成された浅い凹部である支持脚載置部とを備え、前記支持脚部及び支持脚載置部は、内側面及び外側面が上広がりに傾斜しており、収納物を載置しない場合には、下側に位置するトレーと上側に位置するトレーとが平面視において同一形状となる非載置方向で重ね合わされ、この際、下側に位置するトレーの支持脚部の内側面に上側に位置するトレーの支持脚部の外側面が当接し、収納物を載置できる状態では、下側に位置するトレーと上側に位置するトレーとが前記非載置方向とは平面視で略１８０度逆の載置方向で重ね合わされ、この際、下側に位置するトレーの前記支持脚載置部の上面に、上側に位置するトレーの前記支持脚部の下面が当接することで、下側に位置するトレーと上側に位置するトレーとの間に収納物を配置できる空間が確保される。
【０００８】
前記構成によると、非載置方向で重ね合わされた場合には、トレーがコンパクトに積み重ねられ、載置方向で重ね合わされた場合には、上下のトレー間に収納物を配置できる空間が確保される。
【０００９】
また、本考案のトレーは、発泡樹脂からなり、前記枠部と前記収納物載置部と前記トレー載置部とが一体であるものとできる。この構成によると、コンパクトに積み重ね可能なトレーを容易に形成できる。
【００１０】
また、本考案のトレーは、輪郭形状が平面視で略矩形とできる。更に、前記トレー載置部は、前記略矩形の輪郭形状を構成する、対向する二つの長辺に沿うように備えられ、各長辺に対応して、前記支持脚部と前記支持脚載置部とは、当該長辺に沿う方向において一つずつ交互に形成され、一方の長辺に対応して形成された前記支持脚部に対し、他方の長辺に対応して形成された前記支持脚載置部が線対称の位置にて対向するものとできる。これらの構成によると、直方体である収納容器にトレーを収納しやすい。
【００１１】
また、前記支持脚部と前記支持脚載置部とは、横断面形状が略Ｖ字状または略U字状に形成され、前記収納物載置部上の空間に面している。この構成によると、上下のトレーの位置合わせが容易であり、積み重ねをしやすい。
【００１２】
また、前記支持脚部の下面は、前記収納物載置部の下面よりも下方に位置する。この構成によると、最下段のトレーの収納物載置部を収納容器の底面から浮かせることができる。
【考案の効果】
【００１３】
本考案は、非載置方向で重ね合わされた場合にはトレーがコンパクトに積み重ねられる。よって、不使用時に必要なスペースが小さくて済む。
【図面の簡単な説明】
【００１４】
【図１】本考案の一実施形態に係るトレーを示す、平面側から見た斜視図である。
【図２】同トレーを示す、背面側から見た斜視図である。
【図３】同トレーを示す要部拡大縦端面図であり、（Ａ）は支持脚部を示し、（Ｂ）は支持脚載置部を示す。
【図４】不使用時に同トレーを積み重ねた状態を示す縦断面図である。
【図５】使用時（収納物を載置した時）に同トレーを積み重ねた状態を示す縦断面図である。
【考案を実施するための形態】
【００１５】
以下、本考案に係る積み重ね収納用のトレーの一実施形態について、図面を参照しつつ説明する。以下の説明における上下方向は、図１及び図３〜５に示した状態を基準とする。
【００１６】
このトレーＴは発泡樹脂からなる。具体的には、ポリスチレン樹脂を用いた発泡スチレンシートが加熱後に金型により成型されてなる。
【００１７】
このトレーＴは、直方体であるダンボール箱等の収納容器Ｂ（図５参照）の内面形状に合わせ、平面視が略矩形とされている。具体的には四隅にアールを備えた長方形である。つまり、このトレーＴの輪郭形状は平面視で１８０度回転対称形状である。なお、前記「１８０度回転対称形状」は、成型誤差等による形状のずれにより、厳密な対称形状になっていなくても良い。
【００１８】
このトレーＴは、前記輪郭形状を規定する枠部１と、この枠部１に囲まれた凹部である収納物載置部２と、枠部１と収納物載置部２との間に位置するトレー載置部３とを備える。このトレーＴは、１枚の発泡スチレンシートが金型成型されるため、枠部１と収納物載置部２とトレー載置部３とは一体である。このため一体成型によりトレーＴを容易に形成できる。
【００１９】
枠部１は略平板状部分である。図３（Ａ）（Ｂ）に示すように、この枠部１の周縁部には、補強のため厚み方向に圧縮された噛み潰し部１１が形成されている。
【００２０】
収納物載置部２は、枠部１よりも低い位置にある平板状の載置面部２１と、載置面部２１の四方周縁から立ち上げられた側壁部２２とを備える。この側壁部２２は短辺側においては連続して形成されており、長辺側においては、トレー載置部３の間に断続的に形成されている。
【００２１】
トレー載置部３は、トレーＴの長辺に沿って位置しており、上下方向にて相対的に深い凹部である支持脚部３１と、この支持脚部３１に対して１８０度回転対称位置に形成された、上下方向にて相対的に浅い凹部である支持脚載置部３２とを備える。なお、前記「１８０度回転対称位置」は、後述するトレーＴの重ね合わせに支障を生じないのであれば、成型誤差等の関係で厳密な対称位置になっていなくても良い。支持脚部３１と支持脚載置部３２とは、長辺に沿う方向において交互に位置している。支持脚部３１と支持脚載置部３２とは１８０度回転対称位置に形成されているため、一方の長辺側に形成された支持脚部３１と、他方の長辺側に形成された支持脚載置部３２とが線対称の位置にて対向する。
【００２２】
支持脚部３１は、横断面形状が略Ｖ字状または略U字状の凹部であり、前記収納物載置部２上の空間に面している。この支持脚部３１は側面部３１１と底面部３１２とを備える。側面部３１１は、枠部１の内側縁部から下方に立ち下げられた部分であり、図３（Ａ）に示すように、その内面３１１ａ及び外面３１１ｂが上広がりに傾斜している。また、この側面部３１１は、前記略Ｖ字状または略U字状に一致した湾曲形状となっている。このため、トレーＴ，Ｔを非載置方向（後述）で上下に積み重ねようとする際に、下側のトレーＴにおける側面部３１１の内面３１１ａに対して上側のトレーＴにおける側面部３１１の外面３１１ｂを対向させて前記湾曲形状により位置合わせがなされ、容易に積み重ねをできる。
【００２３】
底面部３１２は、前記側面部３１１の下端に連続した略水平の部分である。この底面部３１２の下面３１２ａは、図３（Ａ）に示すように、収納物載置部２の下面２ａよりも下方に位置する。
【００２４】
支持脚載置部３２は、横断面形状が略Ｖ字状または略U字状の凹部であり、前記収納物載置部２上の空間に面している。この支持脚載置部３２は側面部３２１と載置面部３２２とを備える。側面部３２１は、枠部１の内側縁部から下方に立ち下げられた部分であり、図３（Ｂ）に示すように、その内面３２１ａ及び外面３１１ｂが上広がりに傾斜している。そして、この側面部３２１は、前記略Ｖ字状または略U字状に一致した湾曲形状となっている。前記のように、支持脚部３１も横断面形状が略Ｖ字状または略U字状であるため、トレーＴ，Ｔを載置方向（後述）で上下に重ね合わせた際に、下側のトレーＴにおける支持脚載置部３２の側面部３２１の内面３２１ａに対して、上側のトレーＴにおける支持脚部３１の側面部３１１の外面３１１ｂの湾曲形状が一致し、上下の各トレーＴ，Ｔの横ずれを抑制して積み重ね状態を安定させることができる。
【００２５】
載置面部３２２は、前記側面部３２１の下端に連続した略水平の部分である。この載置面部３２２の上面３２２ａに、他のトレーＴの支持脚部３１が載置される。このため、載置面部３２２の上面３２２ａの形状は、支持脚部３１における底面部３１２の下面３１２ａの形状と、少なくとも外側縁部が略一致している。また、載置面部３２２の内側縁部から下方に立ち下げられるようにして側壁部２２が形成されている。
【００２６】
次に、前記構成とされた本実施形態のトレーＴの使用方法について述べる。収納物Ｆを載置しない場合（不使用時）には、図４に示すように、下側に位置するトレーＴと上側に位置するトレーＴとが平面視において同一形状となる方向（非載置方向）で重ね合わされる。この非載置方向での重ね合わせの際、下側のトレーＴに上側のトレーＴが嵌まり込む。この嵌まり込みは、図示のように、下側のトレーＴにおける側面部３１１の内面３１１ａに対して上側のトレーＴにおける側面部３１１の外面３１１ｂが当接するようになされる。これにより、複数のトレーＴを積み重ねた場合の高さを、嵌まり込みのない場合に比べて低く抑えることができる。よって、収納容器Ｂに収納しない状態である不使用時に必要なスペースが小さくて済む。なお、本実施形態では、支持脚部３１については前記のように当接するが、支持脚載置部３２については当接せずに下側のトレーＴと上側のトレーＴとで離隔している。ただし、支持脚載置部３２についても当接するように支持脚載置部３２が形成されていても良い。
【００２７】
一方、収納物Ｆを載置できる状態では、図５に示すように、下側に位置するトレーＴと上側に位置するトレーＴとが前記非載置方向とは平面視で１８０度逆の方向（載置方向）で重ね合わされる。この載置方向での重ね合わせの際、下側のトレーＴの支持脚載置部３２の載置面部３２２における上面３２２ａに、上側のトレーＴの支持脚部３１の底面部３１２における下面３１２ａが当接することで、下側のトレーＴと上側のトレーＴとの間に収納物Ｆを配置できる空間Ｓが確保される。
【００２８】
このように載置方向でトレーＴを重ね合わせていくことにより、図示のように、収納容器Ｂに複数のトレーＴ〜Ｔを重ね合わせた状態で収納し、各トレーＴ〜Ｔの収納物載置部２に収納物Ｆを位置させることができる。収納物載置部２への収納物Ｆの載置の仕方は自由であるが、例えば収納物Ｆとして調理済みの穴子（焼き穴子など）を載置する場合、頭と尾が除去された複数の魚体を、トレーＴの長辺に魚体が沿うようにして、一切れ毎に頭側と尾側が交互になるように並列される。前記のように下側のトレーＴと上側のトレーＴとの間に収納物Ｆを配置できる空間Ｓが確保されているため、収納物Ｆである穴子が押しつぶされることなく収納容器Ｂに収納される。
【００２９】
なお、図３（Ａ）に示すように、支持脚部３１における底面部３１２の下面３１２ａは、収納物載置部２の下面２ａよりも下方に位置するため、図５に示すように、最下段のトレーＴの収納物載置部２を収納容器Ｂの底面から浮かせることができ、例えば収納容器Ｂを床面に置く場合の衝撃を収納物Ｆに伝えにくくできる。
【００３０】
以上、本実施形態について説明したが、本考案は種々の形態で実施できる。例えば本実施形態では、トレーＴの各長辺に沿う方向において、支持脚部３１と支持脚載置部３２とが一つずつ交互に位置しているが、支持脚部３１と支持脚載置部３２とが複数ずつ交互に位置していてもよい。
【００３１】
また、収納物載置部２の載置面部２１は平板状であるが、載置面部２１上での収納物Ｆの横すれを防止するための仕切りや凹凸が形成されていてもよい。
【符号の説明】
【００３２】
１…枠部、２…収納物載置部、３…トレー載置部、３１…支持脚部、３２…支持脚載置部、３１１ａ…支持脚部の内側面、３１１ｂ…支持脚部の外側面、３２１ａ…支持脚載置部の内側面、３２１ｂ…支持脚載置部の外側面、３１２ａ…支持脚部の下面、３２２ａ…支持脚載置部の上面、Ｆ…収納物、Ｂ…収納容器、Ｔ…トレー、Ｓ…空間
【図１】
0003180024.tif 000003
【図２】
0003180024.tif 000004
【図３】
0003180024.tif 000005
【図４】
0003180024.tif 000006
【図５】
0003180024.tif 000007